(57)【特許請求の範囲】
【請求項１】
人体距離検知手段と、この人体距離検知手段が検知した人体距離に対応してランプに対する出力を制御する出力制御手段とで構成され、
上記人体距離検知手段を、ランプを支える支柱の回転を検知する手段で構成し、
上記出力制御手段には、ランプを調光制御する調光制御機能を備えるとともに、人体距離が一定範囲外では、ランプを全点灯、調光点灯、消灯の各動作モードで出力を切り替え、人体距離が一定範囲内では全点灯と調光点灯の動作モードを切り替えるスイッチ手段を備えていることを特徴とする点灯制御装置。
【請求項２】
上記スイッチ手段を、タッチスイッチで構成したことを特徴とする請求項１項記載の点灯制御装置。
【請求項３】
上記タッチスイッチは、２個の端子間を人体が同時に触れたときに人体を介して流れる微小電流が導通することによりオンすることを特徴する請求項２記載の点灯制御装置。
【請求項４】
発光部と、この発光部からの光を受光する受光部とを備え、発光部からの光が人体で遮断された時に出力を発生する光電スイッチで上記スイッチ手段を構成したことを特徴とする請求項１記載の点灯制御装置。
【請求項５】
上記スイッチ手段をリモコン送信器の操作用のスイッチで構成したことを特徴とする請求項１記載の点灯制御装置。
【発明の詳細な説明】
【０００１】
【産業上の利用分野】
本発明は、ディスクスタンド等の照明器具に用いる点灯制御装置に関するものである。
【０００２】
【従来の技術】
従来より、例えば、図１９に示すようにランプ１を取り付けたカバー２の開閉に応動して本体３に内蔵されたマイクロスイッチからなる点灯スイッチ４がオンオフすることによりランプ１が消灯、点灯する構造のデスクスタンドのような照明器具が商品化していた。すなわち、照明が不要な時はランプ１やカバー２の裏側の反射板に埃が付着して、点灯時の光出力が減少することを防ぎ、照明が必要な時はカバー２を開くだけで自動的にランプ１が点灯する。このようにランプ１の点灯スイッチ４の動作を他の機能と兼用する手段が従来から存在していた。
【０００３】
また図２０に示すように、ランプを装着したヘッド５を支える支柱６、７が可動であることにより、ヘッド５の位置を手で動かすことができるスタンドを構成した照明器具が従来からあった。
即ちこの照明器具では、回転軸８1 ，８2 により夫々支柱７に対するヘッド５の角度、支柱８に対する支柱７の角度を手で調整するできるようになっている。また支柱７はベース９の面に平行する方向に、支柱８は垂直方向に夫々回転できるようなっている。ランプの点灯と消灯はベース９にあるスイッチ１０のオン／オフにより行われる。
【０００４】
【発明が解決しようとする課題】
ところで、図２０の照明器具は通常机上に置かれ、照明が不要な場合は、ヘッド５が机の奥（人間から遠方）へ動かされた状態におかれ、照明が必要な場合は、ヘッド５が手前（人間に近い方）に動かされた状態におかれるようなっており、ランプを点灯させる場合には手前にヘッド５を動かした状態でスイッチ１０が操作される。勿論点灯させてからヘッド５を手前へ動かす逆の順でも良い。
【０００５】
このように図２０の照明器具を使用するためには２つの動作が必要となる。一方図１９の照明器具は器具の一部（カバー２）を開ける動作のみでランプ１が点灯するから、一見図２０の照明器具より便利だと思われるが、実際の使用状況を考えれば、照明が不要な場合は器具そのものを机の奥へ置き、必要なときは器具そのものを手前動かしてカバー2 を開けて使用する必要がある。
【０００６】
勿論図１９の照明器具や図２０の照明器具のヘッド５を常に机の奥へ置いて使用しても良いが、必要な照度を得るためには、ランプ出力を大きくしなければならず、効率が悪くなるという問題がある。逆に、図１９の照明器具や図２０の照明器具のヘッド５を常に机の手前に置いて使用する場合は、照明が不要なとき作業を妨げるという問題がある。
【０００７】
本発明は上記の問題点に鑑みて為されたもので、その目的とするところは人体との距離関係により自動的にランプを制御することができる点灯制御装置を提供するにある。
【０００８】
【課題を解決するための手段】
上述の目的を達成するために、請求項１の発明は、人体距離検知手段と、この人体距離検知手段が検知した人体距離に対応してランプに対する出力を制御する出力制御手段とで構成され、上記人体距離検知手段を、ランプを支える支柱の回転を検知する手段で構成し、上記出力制御手段には、ランプを調光制御する調光制御機能を備えるとともに、人体距離が一定範囲外では、ランプを全点灯、調光点灯、消灯の各動作モードで出力を切り替え、人体距離が一定範囲内では全点灯と調光点灯の動作モードを切り替えるスイッチ手段を備えたものである。
請求項２の発明は、請求項１において、上記スイッチ手段を、タッチスイッチで構成したものである。
【０００９】
請求項３の発明は、請求項２において、上記タッチスイッチは、２個の端子間を人体が同時に触れたときに人体を介して流れる微小電流が導通することによりオンするものである。
請求項４の発明は、請求項１において、発光部と、この発光部からの光を受光する受光部とを備え、発光部からの光が人体で遮断された時に出力を発生する光電スイッチで上記スイッチ手段を構成したものである。
【００１０】
請求項５の発明は、請求項１において、上記スイッチ手段をリモコン送信器の操作用のスイッチで構成したものである。
【００１４】
【作用】
請求項１の発明によれば、人体の位置によって自動的にランプの出力を制御することができ、そのため人が存在しない状態でランプが点灯しているような無駄な状態を無くすことが可能となる。
【００１５】
また、ランプを人体の位置によって調光制御することができ、更に人体距離検知手段はランプを支える支柱の回転で人体距離検知を行うため、ランプの位置変更で使用者の照明の要、不要を確実に検知することができる。
【００１６】
また更に人の存在位置とスイッチ手段の操作とで動作モードが切り替え設定できるため、人の存否に応じた多様な照明制御が行える。
請求項２の発明によれば、請求項１の発明において、切り替え設定が人体のタッチにより行える。
【００１７】
請求項３の発明によれば、請求項２の発明において、大地を通じて商用電源から人体に電流を流すようなタッチスイッチのような場合のように、絶縁トランスを使用して商用電源に接続した場合等では動作しないというような問題がなく、使用電源も限定されない。  請求項４の発明によれば、請求項１の発明において、スイッチ手段として光電スイッチを用いるため、タッチスイッチのように人体に電流を流すことが無く、電流に過敏な人に対しても対応できる。
【００１８】
請求項５の発明によれば、請求項１の発明において、動作モードの切り替えが遠隔操作により行える。
【００１９】
【実施例】
以下、本発明の実施例を図面を参照して説明する。
（基本例）
本基本例は、図１に示すように図２０の照明器具と同じタイプのデスクスタンドを構成する照明器具に用いたもので、ランプ１を装着したヘッド５を手で動かすことにより、回転軸８1 にて夫々支柱６に対するヘッド５の角度を、また支柱７に対する支柱６の角度を調整することができ、また支柱７自身がベース９に平行する平面方向に回転でき、更に支柱６が垂直方向に回転できるようになっている。
【００２０】
そして本基本例では図２０の従来例のようなスイッチ１０を設けておらず、ランプ１の点灯／消灯の切り替えはヘッド５の位置を変更することによって行うようになっている。
つまり支柱７の一部が人体距離検知部１１を構成しており、この人体距離検知部１１はヘッド５の動きに応じて回転する支柱７に連動してオン、オフする図２、図３に示す構造のスイッチから構成される。つまり人体距離検知部１１はベース９に固定されている固定部１２に回転自在に被挿したパイプ状の支柱７の下端部に設けられ、支柱７の下端部の内面に固着した可動電極１３と、支柱７の下端部が被挿されている固定部１２の外面には固着した固定電極１４とを備え、固定部１２に対して支柱７が回転されることにより、可動電極１３が固定電極１４に対して接触開離するようになっている。この両電極１３，１４は図４に示すように、商用電源ＡＣと、ランプ１の点灯回路１５との間に挿入され点灯回路１５への電源供給をオン、オフするようになっている。
【００２１】
図５は本基本例を用いた照明器具を机１６の片側中央に配置して、支柱７を机１６の面に対して平行な面で回転させることによりヘッド５の位置を机１６の奥（Ｂ）と、机１６の手前（Ａ）とに移動させることができるようにした設置例を示しており、ヘッド５が机１６の奥（Ｂ）側、つまり人体Ｍに対して遠い位置にある状態では、人体距離検知部１１は可動電極１３を固定電極１４から開離し、逆にヘッド５を机１６の手前（Ａ）、つまり人体Ｍに対して近い位置側に来るように支柱７が回転すると、可動電極１３を固定電極１４に接触させ、人体Ｍと照明器具のヘッド５との間の距離に応じたスイッチ動作を行う。
【００２２】
このようにして本基本例では人体距離検知部１１がヘッド５と人体Ｍとの位置関係に応じてオン、オフし、出力制御手段である点灯回路１５はこのオン、オフに応じて出力を制御しランプ１を点灯、消灯させるのである。
尚本基本例では点灯回路１５への電源供給を人体距離検知部１１によりオン、オフすることにより出力制御を行うようになっているが、例えばインバータ式放電灯電子安定器のスイッチング素子の駆動信号を制御するようにしても良い。
【００２３】
（実施例１）
基本例は、人体距離検知部１１の検知動作によりランプ１を点灯／消灯させるものであったが、本実施例では図６に示すように蛍光灯のようなランプ１を点灯させるインバータ式放電灯電子安定器を点灯回路１５に用いて段調光制御機能を加えるとともに、図７に示すように動作モードの切り替えを行うタッチスイッチ１７をヘッド５に設けたもので、基本例と同様な構成の人体距離検知部１１の検知範囲に応じてタッチスイッチ１７で切り替えることができる動作モードを設定し、また現在の動作モードを人体距離検知部１１の検知状態の変化に応じて切り替えるようにしたものである。尚照明器具の構造、人体距離検知部１１の構造は基本例と同じであるため説明を省略する。
【００２４】
タッチスイッチ１７は次のように動作するものである。即ち一般家庭用電源のように一線が大地に接地された商用電源ＡＣを使用して図６で示すような極性の時は、大地から見て回路の接地線ＧＮＤ上における電位は図８に示すように低い電位を示しているため、タッチプレートＴに人体Ｍが触れるとその人体Ｍのインピーダンスを介して、商用電源ＡＣの正側→人体Ｍ→タッチプレートＴ→抵抗Ｒ２  →抵抗Ｒ１  →回路接地線ＧＮＤ→ダイオードブリッジＤＢ→商用電源ＡＣの負側の経路が形成され、その線路に商用周波数の半サイクル毎の電流が流れる。この電流による抵抗Ｒ１  による電圧降下ＶＲ１が、タッチ信号処理回路２５の信号検知用ゲートＩＣのスレッショルド電圧を越えるとその出力が”Ｈ”から”Ｌ”となり、タッチプレートＴに人体Ｍが触れたことを検知した検知信号を点灯回路１５のインバータ式放電灯電子安定器を構成するインバータ１８へ出力するようになっている。コンデンサＣ１  は高周波ノイズによる誤動作防止用のコンデンサである。
【００２５】
インバータ１８には、商用電源ＡＣをダイオードブリッジＤＢと平滑コンデンサＣ０  で整流平滑して得られた直流をスイッチング素子の発振動作により高周波に変換してその高周波出力でランプ１を点灯させ、またスイッチング素子の発振周波数を制御することにより出力電力を可変してランプ１を調光する機能を備えた周知のインバータ式電子安定器が使用され、人体距離検知部１１の検知信号と、タッチスイッチ１７の検知信号とに基づいて動作モードを切り替える制御部（図示せず）を内蔵してある。
【００２６】
制御部の動作を図９に示すフローチャートに基づいて説明する。まず商用電源ＡＣが投入された直後はインバータ１８の動作モードを消灯に設定し、その後タッチスイッチ１７の検知信号の有無と、人体距離検知部１１の検知信号の変化を監視する待機状態に入る。
タッチスイッチ１７の検知信号が無い状態で、人体距離検知部１１の検知信号の変化があれば、制御部は変化前のヘッド５の位置が図５においてＡの位置であるか、Ｂの位置であるかをまず判定し、その位置がＢの位置、つまり人体Ｍから遠い位置にあった場合にはヘッド５の位置変化が人体Ｍに近づいて来る方向であるため、現在のインバータ１８の動作モードが消灯モードであるのかどうかを判定し、消灯モードであれば、インバータ１８の動作モードを全点灯モードに切り替えてインバータ１８の出力が最大になるようにインバータ１８の動作を制御し、ランプ１を全点灯させる。また上記の判定により動作モードが消灯モードでなければ、現在の動作モードを保持する。
【００２７】
上記の変化前のヘッド５の位置がＡの位置、つまり人体Ｍに近い位置にあった場合には、検知されたヘッド５の位置変化は人体Ｍから遠ざかる方向であるため、制御部はインバータ１８の現在の動作モードが、全点灯モードや調光モードであれば消灯モードに切り替えてインバータ１８の動作を停止させ、また消灯モードであればそのモードを維持し、ランプ１を消灯させる。
【００２８】
さて待機中においてタッチスイッチ１７の検知信号が入力すると、制御部は人体距離検知部１１の検知信号の有無からヘッド５の位置がＡの位置なのかＢの位置なのかまず判定し、Ｂの位置であれば現在の動作モードが全点灯モードなのかどうかを判定し、全点灯モードであれば動作モードを調光モードに切り替え、例えば予め定めた調光度合に対応した出力となるようにインバータ１８の動作を制御する。これによりランプ１の点灯状態が調光された状態となる。勿論上記の動作モードの判定で全点灯モードでなければ、更に動作モードが調光モードであるのかどうかを判定し、調光モードでなければ動作モードを全点灯モードに切り替え、調光モードであれば動作モードを消灯モードに切り替える。
【００２９】
逆に上記のタッチスイッチ１７の検知信号が入力した時のヘッド５の位置がＡの位置であれば、制御部は現在の動作モードが全点灯モードなのかどうかを判定し、全点灯であれば動作モードを調光モードに切り替え、上述と同様に所定の調光度合に対応した出力となるようにインバータ１８の動作を制御する。もし動作モードが全点灯モードでなければ、動作モードを調光モードに切り替える。
【００３０】
以上のように本実施例ではヘッド５の位置が変化して人体Ｍに近づく場合には変化前の動作モードが消灯モード以外であればそのモードを保持し、消灯モードであればランプ１を全点灯させ、ヘッド５の位置が変化して人体Ｍに遠ざかる場合には、全て動作モードを消灯モードに切り替えランプ１を消灯させる。
そしてタッチスイッチ１７が操作された時には、その時のヘッド５の位置により動作モードの切り替えパターンが異なり、ヘッド５の位置が人体Ｍに遠い位置Ｂにある場合には、消灯→全点灯→調光→消灯のサイクルで現在の動作モードをスイッチ操作がある度に次の動作モードに切り替え、ヘッド５の位置が人体Ｍに近い位置Ａにある場合には、全点灯→調光→全点灯のサイクルで現在の動作モードをスイッチ操作がある度に次の動作モードに切り替えるのである。
【００３１】
このように本実施例では人体距離検知部１１と、タッチスイッチ１７の組み合わせにより最も操作性のよい制御を実現している。
ところで本実施例のタッチスイッチ１７を用いた照明器具では商用電源ＡＣに対して絶縁トランスを介して接続されると、電源部が大地と絶縁された状態となるために、上述した電流の経路が断たれることになってタッチ操作の検知が不能となる恐れがある。また絶縁トランスを介さなくても商用電源ＡＣによりフィルムヒータに通電して面暖房を行う場合のように、面暖房カーペットの周辺においてもタッチ信号電流が極端に少なくなって検知不能の状態となり作動しないことがある。
【００３２】
つまり人体の電位は通常の状態では大地電圧と等しくなっているために、回路の接地線ＧＮＤに対して図１０に示す実線の半サイクルにおいては、最大電圧Ｅは１４０Ｖの高電圧側にあるが、面暖房カーペットの周辺では、その一面が商用電源が流れる発熱体で覆われているために、商用電圧が誘起された特殊な電位環境となっている。そのために同じ環境にいる人体Ｍの電位からみた回路接地線ＧＮＤの電位Ｅ１  が最大電圧１４０ボルト以下となって小さくなる。従って、人体のタッチ信号電流も小さくなり、タッチ信号検知回路２５の検知用ゲートＩＣのスレッショルド電圧ＶＴＨに対してＶＲ１＜ＶＴＨとなると、そのタッチ信号電流は検知されないことになり、タッチ不動作状態となる等の問題点がある。
【００３３】
そこで上記タッチスイッチ１７の問題点を解消した図１１に示すタッチスイッチ２０を用いても良い。
このタッチスイッチ２０は、コンパレータ１９と、直流電源ＤＣと、直流電源ＤＣの電圧を分圧してコンパレータ１９の反転入力端に基準電圧として印加する抵抗Ｒ３  、Ｒ４  と、更に直流電源ＤＣの正に抵抗Ｒ５  を介して接続したタッチ電極２１ａと、抵抗Ｒ６  を介して直流電源ＤＣの負極に接続するとともに、コンパレータ１９の非反転入力端に接続するタッチ電極２１ｂとで構成されたもので、タッチ電極２１ａ，２１ｂは図１２に示すようにヘッド５の表面に間隔ａを開けて設け、人体Ｍの指ｍが両電極２１ａ，２１ｂにタッチすると、両電極２１ａ，２１ｂ間を人体抵抗Ｒｍで接続することになり、抵抗Ｒ５  、Ｒｍ、Ｒ６  の直列回路に電流が流れて抵抗Ｒ６  の両端電圧がコンパレータ１６の非反転入力端に印加される。ここでコンパレータ１９の基準電圧に対して電極タッチ時に抵抗Ｒ６  に発生する電圧が越えるように抵抗Ｒ３  〜Ｒ６  の値を設定しており、上記のように電極タッチがあって反転入力端の電圧が基準電圧を上回るとコンパレータ１９は検知出力を発生するのである。
【００３４】
尚両電極２１ａ，２１ｂの間隔ａは指ｍが触れて容易に導通させることができる幅とし、また指ｍを介して流れる電流の大きさは人体ｍに悪影響を与えないように１ｍＡ以下としてある。
上記タッチスイッチ１５、２０は人体に流れる電流を利用してタッチ操作を検知するようにしたものであるが、図１３，図１４に示すように照明器具の支柱２３に下向きに照射方向を設定した指向性のある発光ダイオードＬＥＤと、この発光ダイオードＬＥＤからの光を受光する受光素子ＰＤからなる光電スイッチ２２を用いても良い。この場合支柱２３内に設けてある発光素子ＬＥＤの光がベース９内に設けてある受光素子ＰＤにフィルタ２４を介して受光されている間は非操作として点灯回路１５内の制御部は判定し、発光ダイオードＬＥＤと、受光素子ＰＤとの間に指ｍが介在されて受光素子ＰＤへの光が遮断されて受光素子ＰＤからの受光信号が無くなると、点灯回路１５の制御部は操作があったと判定するようになっている。
【００３５】
ここでフィルタ２４は他の光源、例えばランプ１の光を発光ダイオードＬＥＤの光と区別するために用いているが、他の光源の影響がない構造であればフィルタ２４は不要である。また他の光源と区別するという点で発光ダイオードＬＥＤを所定のパルス信号で駆動してそのパルス信号に同期したパルス信号が受光素子ＰＤに受光されているかいないかで他の光源を影響を小さくするようにしても良い。
【００３６】
（実施例２）
上記実施例１は動作モードを切り替えるスイッチとしてタッチスイッチ１５（又は２０或いは光電スイッチ２２）をヘッド５に設けたものであるが、この切り替えスイッチとして、本実施例では例えば赤外線信号を利用したリモコン送信器２７を用いたものである。
【００３７】
このリモコンスイッチでは照明器具側に受信部（図示せず）を設けこの受信信号を点灯回路１５内の制御部に上記実施例のタッチスイッチ１５の検知信号の代わりに入力するようにしたもので、リモコン送信器２７の送信回路部２７ａの構成としては図１５、図１６に示すようなものが用いられる。
図１５のリモコン送信器２７は乾電池等からなる直流電源ＤＣで駆動されるマイクロコンピュータＩＣ２６を信号処理部とした送信回路部２７を備え、操作スイッチＳＷが操作されると、マイクロコンピュータＩＣ２６が所定の搬送周波数（数１０ＫＨｚ）の信号に所定のパルス列からなるコード信号で変調をかけ、更にその変調した信号をトランジスタＱ１  のベースに入力してトランジスタＱ１  をオン・オフさせ、このオン・オフに同期してオン・オフするトランジスタＱ２  を通じて赤外発光ダイオードＬＥＤ１  〜ＬＥＤ３  を駆動し、赤外線信号を発射させるようにしたものである。尚ＸＬは基準クロック発生用の発振子である。
【００３８】
図１６のリモコン送信器２７は、駆動電源に商用電源ＡＣをダイオードブリッジＤＢとコンデンサＣ０  、Ｃ０  ’で整流平滑し、ツェナーダイオードＺＤにより一定電圧とされた直流を用いたもので、送信回路部２７ａの操作スイッチとしてタッチスイッチ２８を使用している。
このタッチスイッチ２８は図１７に示すように商用電源ＡＣの一端が大地ＧＮＤに接地されていることを利用したもので、大地ＧＮＤ側が高圧側となる商用周波数のハンサイクル毎に、人体がタッチプレートＴに触れている間、商用電源ＡＣ、タッチプレートＴ、抵抗Ｒ７  、Ｒ８  、ダイオードブリッジＤＢ、商用電源ＡＣの経路で電流が流れ、この電流にて抵抗Ｒ８  に発生する電圧でノットゲートＩＣ２  の出力が”Ｌ”になり、この”Ｌ”によりノットゲートＩＣ３  の出力が”Ｈ”になって単安定マルチバイブレータ２９をトリガし一定時間”Ｈ”信号を抵抗Ｒ９  を介して送信回路部２７へ出力する。この”Ｈ”信号はマイクロコンピュータＩＣ２６の入力ポートに接続してあるトランジスタＱ３  のベースに入力し、このトランジスタＱ３  をオンする。このトンジスタＱ２  のオンにより操作信号がマイクロコンピュータＩＣ２６に与えられ、マイクロコンピュータＩＣ２６は図１５の回路と同じように動作し、図１６では省略してあるが、赤外発光ダイオードＬＥＤ１  〜ＬＥＤ３  をトランジスタＱ１  ，Ｑ２  により駆動して赤外線信号を発射させる。
【００３９】
尚図１７の回路ではタッチ操作時のチャタリングを防ぐために、単安定マルチバイブレータ２９を設けてあるが、チャタリング発生の心配がなければ不要なものである。
尚タッチスイッチ２８の代わりに、図１８に示すように図１１のタッチスイッチ２０を用いても良い。このタッチスイッチ２０ではタッチ操作時のチャタリングを防ぐために、単安定マルチバイブレータ２９を出力に設けてある点で図１１の場合と異なる。このタッチスイッチ２０の場合には駆動電源として乾電池等の直流電源を使用することができ、必ずしも商用電源ＡＣを用いる必要がない。
【００４０】
このように本実施例では実施例１のように照明器具側のタッチスイッチの代わりにリモコン送信器２７を用いたものであり、点灯回路１５は人体距離検知部１１の信号とともにこのリモコン送信器２７に対応させて設けた受信部からの受信信号に基づいて実施例１と同様にランプ１に対する動作モードを切り替えるようになっている。
【００４６】
【発明の効果】
請求項１の発明は、人体距離検知手段と、この人体距離検知手段が検知した人体距離に対応してランプに対する出力を制御する出力制御手段とで構成されたものであるから、人体の位置によって自動的にランプの出力を制御することができ、そのため人が存在しない状態でランプが点灯しているような無駄な状態を無くすことが可能となるという効果がある。
【００４７】
また上記出力制御手段に、ランプを調光制御する調光制御機能を備えたものであるから、ランプを人体の位置によって調光制御することができるという効果がある。
【００４８】
更に上記人体距離検知手段を、ランプを支える支柱の回転を検知する手段で構成したものであるから、ランプの位置変更で使用者の照明の用、不要を確実に検知することができるという効果がある。
【００４９】
更にまた上記出力制御手段に、人体距離が一定範囲外では、ランプを全点灯、調光点灯、消灯の各動作モードで出力を切り替え、人体距離が一定範囲内では全点灯と調光点灯の動作モードを切り替えるスイッチ手段を備えたものであるから、人の存在位置とスイッチ手段の操作とで動作モードが切り替え設定できるため、人の存否に応じた多様な照明制御が行えるという効果がある。
【００５０】
請求項２の発明は、請求項１において、上記スイッチ手段を、タッチスイッチで構成したものであるから、切り替え設定が人体のタッチにより行えるという効果がある。
請求項３の発明は、請求項２において、タッチスイッチとして、２個の端子間を人体が同時に触れたときに人体を介して流れる微小電流が導通することによりオンするものを用いたものであるから、大地を通じて商用電源から人体に電流を流すようなタッチスイッチのような場合のように、絶縁トランスを使用して商用電源に接続した場合等では動作しないというような問題がなく、使用電源も限定されないという効果がある。
【００５１】
請求項４の発明は、請求項１において、上記スイッチ手段を、発光部と、この発光部からの光を受光する受光部とを備え、発光部からの光が人体で遮断された時に出力を発生する光電スイッチで構成したものであるから、スイッチ手段として光電スイッチを用いるため、タッチスイッチのように人体に電流を流すことが無く、電流に過敏な人に対しても対応できるという効果がある。
【００５２】
請求項５の発明は、請求項１において、上記スイッチ手段をリモコン送信器の操作用のスイッチで構成したものであるから、動作モードの切り替えが遠隔操作により行えるという効果がある。
【図面の簡単な説明】
【図１】本発明の基本例の照明器具の斜視図である。
【図２】同上の人体距離検知部の拡大断面図である。
【図３】同上の人体距離検知部の一部破断せる拡大斜視図である。
【図４】同上の回路図である。
【図５】同上の動作説明図である。
【図６】本発明の実施例１の回路図である。
【図７】同上の照明器具の斜視図である。
【図８】同上使用のタッチスイッチの動作説明用波形図である。
【図９】同上の動作説明用フローチャートである。
【図１０】同上のタッチスイッチの不動作時の動作説明用波形図である。
【図１１】同上に使用する別のタッチスイッチの回路図である。
【図１２】同上に使用する別のタッチスイッチのタッチ電極の構成図である。
【図１３】同上に使用する光電スイッチの構成図である。
【図１４】同上に使用する光電スイッチの操作説明図である。
【図１５】本発明の実施例２に使用するリモコン送信器の回路図である。
【図１６】同上に使用する他のリモコン送信器の回路図である。
【図１７】同上に使用する他のリモコン送信器のタッチスイッチの回路図である。
【図１８】同上に使用する他のリモコン送信器に使用する別のタッチスイッチの回路図である。
【図１９】従来例の斜視図である。
【図２０】別の従来例の斜視図である。
【符号の説明】
１ ランプ
５ ヘッド
６，７ 支柱
８1 ，８2 回転軸
９ ベース
１１ 人体距離検知部
１２ 固定部
【図１】
0003569930.tif 000002
【図２】
0003569930.tif 000003
【図３】
0003569930.tif 000004
【図４】
0003569930.tif 000005
【図５】
0003569930.tif 000006
【図６】
0003569930.tif 000007
【図７】
0003569930.tif 000008
【図８】
0003569930.tif 000009
【図９】
0003569930.tif 000010
【図１０】
0003569930.tif 000011
【図１１】
0003569930.tif 000012
【図１２】
0003569930.tif 000013
【図１３】
0003569930.tif 000014
【図１４】
0003569930.tif 000015
【図１５】
0003569930.tif 000016
【図１６】
0003569930.tif 000017
【図１７】
0003569930.tif 000018
【図１８】
0003569930.tif 000019
【図１９】
0003569930.tif 000020
【図２０】
0003569930.tif 000021